(57)【要約】    【課題】      手動操作によって動作電源である蓄電池の充電が行える手動式発電機構を内蔵し、その内蔵する手動式発電機構に発電を行わせる動作子を携帯電話機筐体から外部に突出しない形で一体的に収納するようにした携帯電話機を提供すること。    【解決手段】  携帯電話機１００の筐体に回転可能に支持される回転軸１０１の軸端には、アーム状の動作子１０２の一端が取り付けられている。動作子１０２に回転操作を与えて回転軸１０１を回転させると発電し、動作電源である蓄電池１０３を充電する手動式発電機構を内蔵している。動作子１０２の他端には、取っ手１０５が設けてある。筐体側面には、凹状の収納部１０４を設け、充電操作を行わないときは、動作子１０２全体を収納できるようにしている。  【選択図】      図１
2005277508.tif 000002
【特許請求の範囲】
【請求項１】
当該携帯電話機の筐体に回転可能に支持される回転軸に与える回転操作によって発電し、動作電源である二次電池を充電することができる手動式発電機構を内蔵することを特徴とする携帯電話機。
【請求項２】
当該携帯電話機の筐体側面に並行して前記回転操作が行えるアーム状の動作子の一端を前記回転軸の端部に取り付け、かつ前記筐体側面に前記動作子全体を収容する凹状の収納部を設けたことを特徴とする請求項１記載の携帯電話機。
【請求項３】
前記動作子の一端は、前記回転軸の端部に軸方向にスライド可能に軸支されており、回転操作方向には固定状態となるように取り付けられていることを特徴とする請求項２記載の携帯電話機。
【請求項４】
前記動作子の他端には、回動操作時に掴むことができる取っ手が設けられていることを特徴とする請求項２又は請求項３記載の携帯電話機。
【請求項５】
前記取っ手は、前記動作子の一面側と他面側とに出没可能に設けられていることを特徴とする請求項４記載の携帯電話機。
【発明の詳細な説明】
【技術分野】
【０００１】
本発明は、携帯電話機に関し、特に動作電源である二次電池の充電機構を内蔵する携帯電話機に関する。
【背景技術】
【０００２】
従来の携帯電話機では、充電式リチウムイオン電池などの二次電池（以降、「蓄電池」という）が使用されている。蓄電池は、残量が少なくなるとその都度充電器によって充電する必要があるので、充電器が無い場合には、携帯電話機の使用ができなくなることが起こる。そこで、充電器を使用せずに蓄電池の充電が可能な携帯電話機が種々提案されている（例えば特許文献１〜３）。
【０００３】
即ち、特許文献１では、収納可能なハンドルを手動により回すことで発電する発電器の本体と、充電可能な乾電池を収納し、携帯電話へのコネクタを設けた乾電池ボックスと、本体接続モジュラープラグと乾電池ボックス接続モジュラープラグとを有するケーブルとを備えた手動携帯発電器が開示されている。
【０００４】
また、特許文献２では、使用に際して折り畳み用ヒンジ部を動作する機器筐体の構造を持った携帯無線機用充電機構であって、前記ヒンジ部には、折り畳み動作で相対的に回転できる発電用素子を備えており、前記発電用素子の相互回転で発生した電流を、整流器を介して、機器筐体に内蔵した電池に充電するように構成した携帯無線機用充電機構が開示されている。
【０００５】
また、特許文献３では、円管状の外周に長尺方向にラックギヤを備え、かつ携帯電話機本体から突出可能に配設された押棒と、押棒を付勢して携帯電話機本体から突出可能となるバネと、ラックギヤに噛合する第１歯車と、第１歯車の回転を伝達する少なくとも１個の中間歯車と、少なくとも１個の中間歯車と噛合可能な第４歯車と、第４歯車の回転に基づいて作動する発電器とを備え、中間歯車は、押棒の携帯電話機本体内方向への移動時に第１歯車の回転を第４歯車に伝達し、外方向への移動時には第１歯車の回転を第４歯車に伝達しない構成とした発電機能付き携帯電話機が開示されている。要するに、この特許文献３では、携帯電話機にアンテナ状の発電用動作子を設け、動作子の伸縮動作によって二次電池を充電する技術が開示されている。
【特許文献１】実用新案登録第３０５６８５２号公報
【特許文献２】特開２００１−４５１２５号公報
【特許文献３】特開平８−３０７３００号公報
【発明の開示】
【発明が解決しようとする課題】
【０００６】
しかしながら、特許文献１に記載の技術では、携帯電話機とは別に発電機構を有する筐体を持ち運ぶ必要があるので、実際に携帯電話機と共に携行するのは煩雑であるという問題がある。
【０００７】
また、特許文献２に記載の技術では、携帯電話機の開閉動作によってヒンジ部に持たせた発電機構に発電動作が行われるので、携帯電話機の開閉動作を行わない待機中や通話中には、発電操作が行えないという問題がある。
【０００８】
また、特許文献３に記載の技術では、携帯電話機に設けたアンテナ状の動作子が常時携帯電話機から突出しているので、携行に際して邪魔になるのに加えて、携帯電話機のデザイン設計に制約を与えるという問題がある。
【０００９】
本発明は、かかる点に鑑みてなされたものであり、手動操作によって動作電源である蓄電池の充電が行える手動式発電機構を内蔵する携帯電話機を提供することを目的とする。
【００１０】
また、本発明は、内蔵する手動式発電機構に発電を行わせる動作子を携帯電話機筐体から外部に突出しない形で一体的に収納するようにした携帯電話機を提供することを目的とする。
【課題を解決するための手段】
【００１１】
かかる課題を解決するため、本発明の携帯電話機は、当該携帯電話機の筐体に回転可能に支持される回転軸に与える回転操作によって発電し、動作電源である二次電池を充電することができる手動式発電機構を内蔵する構成を採る。
【００１２】
この構成によれば、当該携帯電話機の筐体に回転可能に支持される回転軸に与える回転操作によって動作電源である蓄電池を充電することができるので、待機中や通話中において、外部から発電筐体を接続することなく、残量の少なくなった蓄電池の充電を行うことができる。
【００１３】
また、本発明の携帯電話機は、上記の発明において、当該携帯電話機の筐体側面に並行して前記回転操作が行えるアーム状の動作子の一端を前記回転軸の端部に取り付け、かつ前記筐体側面に前記動作子全体を収容する凹状の収納部を設けた構成を採る。
【００１４】
この構成によれば、内蔵する手動式発電機構に発電を行わせる動作子は、携帯電話機筐体から外部に突出しない形で一体的に収納部内に納めることできる。したがって、動作子の存在が携行時の邪魔になることがなく、またデザイン設計に制約を与えることがない。
【００１５】
また、本発明の携帯電話機は、上記の発明において、前記動作子の一端は、前記回転軸の端部に軸方向にスライド可能に軸支されており、回転操作方向には固定状態となるように取り付けられている構成を採る。
【００１６】
この構成によれば、動作子は、発電操作を行わない場合には前記収納部に押し込んで収納され、発電操作を行うときに収納部から引き出して回転操作を行うことができる。
【００１７】
また、本発明の携帯電話機は、上記の発明において、前記動作子の他端には、回動操作時に掴むことができる取っ手が設けられている構成を採る。
【００１８】
この構成によれば、動作子の回転操作が簡単に行えるようになる。
【００１９】
また、本発明の携帯電話機は、上記の発明において、前記取っ手は、前記動作子の一面側と他面側とに出没可能に設けられている構成を採る。
【００２０】
この構成によれば、動作子を収納部に納めるときには取っ手を収納部の底部側に突き出させ、動作子を収納部から引き出して回転操作を行うときには取っ手を回転操作側に飛び出させて掴むことができる。
【発明の効果】
【００２１】
本発明によれば、手動操作によって発電する手動式発電機構を内蔵するので、待機中や通話中において、残量の少なくなった蓄電池の充電を行うことができる。また、外部から発電筐体を接続する必要がないので、携帯電話機の携行時における煩雑さを解消することができる。
【００２２】
また、本発明によれば、内蔵する手動式発電機構に発電を行わせる動作子を携帯電話機筐体から外部に突出しない形で一体的に収納するようにしたので、動作子の存在が携行時の邪魔になることがなく、またデザイン設計に制約を与えることがない。
【発明を実施するための最良の形態】
【００２３】
本発明の骨子は、動作電源である蓄電池の充電が行える発電機構を手動操作によって発電できる構成で内蔵し、その内蔵する手動式発電機構に発電を行わせる動作子を携帯電話機筐体から外部に突出しない形で一体的に収納できるようにすることである。
【００２４】
以下、本発明の実施の形態について図面を参照して詳細に説明する。
【００２５】
図１は、本発明の一実施の形態に係る携帯電話機の外観構成を示す図である。図１において、携帯電話機１００の筐体には、回転軸１０１が回転可能に支持されている。この回転軸１０１の筐体側面から突き出している軸端には、当該筐体側面に並行して回転操作が行えるアーム状の動作子１０２の一端が取り付けられている。図１に示す携帯電話機１００は、動作子１０２に回転操作を与えて回転軸１０１を回転させると発電し、動作電源である蓄電池１０３を充電することができる手動式発電機構を内蔵している（図２参照）。
【００２６】
そして、当該筐体側面には、動作子１０２の全体を収納する凹状の収納部１０４が設けられている。具体的には、動作子１０２の一端は、回転軸１０１の軸端に、回転軸１０１の軸方向にスライド可能に軸支され、回転操作方向には固定状態となるように取り付けられている。これによって、動作子１０２は、発電操作を行わない場合には収納部１０４に押し込んで収納され、発電操作を行うときに収納部１０４から引き出して回転操作を行うことができる。
【００２７】
また、動作子１０２の自由端である他端には、回転操作時に掴むことのできる取っ手１０５が設けられている。これによって、動作子の回転操作が簡単に行えるようになる。この取っ手１０５は、動作子１０２の自由端である他端において、一面側と他面側とに出没可能に設けられている。これによって、動作子１０２を収納部１０４に収納するときは取っ手１０５を押し込んで収納部１０４の底部側に突き出させ（図１はこの状態を示している）、動作子１０２を収納部１０４から引き出して回転操作を行うとき取っ手１０５を回転操作側に飛び出させて掴むことができるようになる。
【００２８】
図２は、図１に示す携帯電話機が内蔵する手動式発電機構の構成例を示す図である。図２において、動作子１０２が取り付けられる回転軸１０１には、回転ギヤ２０１が固定されている。回転ギヤ２０１は、受けギヤ２０２と噛合している。受けギヤ２０２は、発電ドラム軸２０３に固定されている。発電ドラム軸２０３は、発電機である発電ドラム２０４と連結されている。発電ドラム２０４の電力出力端は、電線２０５を介して整流回路２０６に接続されている。整流回路２０６の出力端は、電線２０７を介して蓄電池１０３の電極に接続されている。
【００２９】
次に、図１〜図４を参照して、以上のように構成される携帯電話機における充電操作について説明する。なお、図３と図４は、携帯電話機１００における充電操作について説明する図である。
【００３０】
発電操作を行うときは、図３に示すように、収納部１０４に収納された動作子１０２を収納部１０４から引き出し、また取っ手１０５を回転操作側に飛び出させ、飛び出した取っ手１０５を掴んで動作子１０２を図示例では右回りに回転させ、初期位置３０１まで持って来る。初期位置３０１は、図示例では収納部１０４の反対側になっている。つまり、動作子１０２を右回りに１８０度回転させる。
【００３１】
次いで、図４に示すように、動作子１０２を初期位置３０１から収納部１０４に向かって左回りに回転させる。符号４０１は、動作子１０２の動作中位置を示す。すると、図２において、回転軸１０１の左回り回転に連動して回転ギヤ２０１が左回りに回転し、受けギヤ２０２が右回りに回転する。これによって、発電ドラム軸２０３が右回りに回転し、発電ドラム２０４が起電力を発生する。この発電ドラム２０４が発生する起電力は、電線２０５を通って整流回路２０６に与えられ、直流電力となり、電線２０７を通って内蔵する蓄電池１０３の充電に供される。
【００３２】
以上の説明から明らかなように、動作子１０２の回転操作は、待機中や通話中において行うことができるので、残量の少なくなった蓄電池１０３の充電操作は、携行時の任意の時に任意の場所において実行することができる。なお、手動式発電機構は、図２に示す構成に限定されるものではなく、動作子を回転させる手動操作によって回転軸が回転し、これによって発電できる構成であれば、同様に実施することができること言うまでもない。
【００３３】
このように、本発明の実施の形態に係る携帯電話機によれば、手動操作によって発電する手動式発電機構を内蔵したので、待機中や通話中において、残量の少なくなった蓄電池の充電を行うことができる。また、外部から発電筐体を接続する必要がないので、携帯電話機の携行時における煩雑さを解消することができる。
【００３４】
また、内蔵する手動式発電機構に発電を行わせる動作子を携帯電話機筐体から外部に突出しない形で一体的に収納するようにしたので、動作子の存在が携行時の邪魔になることがなく、またデザイン設計に制約を与えることがない。
【産業上の利用可能性】
【００３５】
本発明は、手動操作によって発電する手動式発電機構を内蔵するので、携帯電話機の携行時における煩雑さを解消し、内蔵する蓄電池の充電操作を任意の時と任意の場所において実行するのに好適である。
【００３６】
また、本発明は、内蔵する手動式発電機構に発電を行わせる動作子の存在が携行時の邪魔になることなく、またデザイン設計に制約を与えることなく、動作子を配置設計するのに好適である。
【図面の簡単な説明】
【００３７】
【図１】本発明の一実施の形態に係る携帯電話機の外観構成を示す図
【図２】図１に示す携帯電話機が内蔵する手動式発電機構の構成例を示す図
【図３】図１に示す携帯電話機における充電操作を説明する図
【図４】図１に示す携帯電話機における充電操作を説明する図
【符号の説明】
【００３８】
１００  携帯電話機
１０１  回転軸
１０２  動作子
１０３  蓄電池（二次電池）
１０４  収納部
１０５  取っ手
２０１  回転ギヤ
２０２  受けギヤ
２０３  発電ドラム軸
２０４  発電ドラム
２０５、２０７  電線
２０６  整流回路
３０１  初期位置
４０１  動作中位置
【図１】
2005277508.tif 000003
【図２】
2005277508.tif 000004
【図３】
2005277508.tif 000005
【図４】
2005277508.tif 000006